(57)【要約】  【課題】  ゴルフクラブの反発性能評価の手間および精度を改善する。  【解決手段】  通信ネットワークＮを介して端末機器１２−１〜Ｘと接続されるサーバ１１を備え、サーバ１１は、特定機種のゴルフクラブ反発性能試験機１３−１〜Ｘによる任意のゴルフクラブＧの計測結果を通信ネットワークＮを介して受信する受信手段（通信手段）１７と、特定機種のゴルフクラブ反発性能試験機１２−１〜Ｘによる計測結果に基づくゴルフクラブ評価基準情報を有するデータベース１５と、受信手段（通信手段）１７に受信される上記任意のゴルフクラブの計測結果と上記ゴルフクラブ評価基準情報とを比較判断する演算処理手段１６と、演算処理手段１６により判断された上記任意のゴルフクラブの評価結果を通信ネットワークＮを介して端末機器１２−１〜Ｘに送信する送信手段（通信手段）１７を有している。  【選択図】  図１
2005040442.tif 000002
【特許請求の範囲】
【請求項１】
通信ネットワークを介して端末機器と接続されるサーバを備え、該サーバは、
特定機種のゴルフクラブ反発性能試験機による任意のゴルフクラブの計測結果を上記通信ネットワークを介して受信する受信手段と、
上記特定機種のゴルフクラブ反発性能試験機による計測結果に基づくゴルフクラブ評価基準情報を有するデータベースと、
上記受信手段に受信される上記任意のゴルフクラブの計測結果と上記ゴルフクラブ評価基準情報とを比較判断する演算処理手段と、
上記演算処理手段により判断された上記任意のゴルフクラブの評価結果を上記通信ネットワークを介して端末機器に送信する送信手段を有することを特徴とするゴルフクラブ評価システム。
【請求項２】
上記データベースに保存するゴルフクラブ評価基準情報は、上記ゴルフクラブ反発性能試験機で測定されるゴルフクラブのヘッドの反発性能基準数値データを含み、上記受信手段により受信される上記任意のゴルフクラブのヘッドの反発性能が上記ヘッドの反発性能基準数値データを満たしているか比較分析できる構成としている請求項１に記載のゴルフクラブ評価システム。
【請求項３】
上記データベースには、上記受信手段により受信された各ゴルフクラブの反発性能の計測結果および当該ゴルフクラブのヘッド重量を含むゴルフクラブの製品情報が保存され、
複数箇所に配置される上記特定機種のゴルフクラブ反発性能試験機により計測された複数の異種類のゴルフクラブの反発性能を比較分析できる構成としている請求項１または請求項２に記載のゴルフクラブ評価システム。
【請求項４】
上記特定機種のゴルフクラブ反発性能試験機は、ゴルフクラブを位置決め固定するクラブ把持部と、金属部品からなり一端に打撃部を有する棒状部材と、該棒状部材の他端を保持して傾動自在に垂下させる傾動手段と、該打撃部に取り付けられた加速度センサとを備え、
上記ゴルフクラブのヘッドフェース面を上記打撃部に対向させた状態で上記ゴルフクラブのシャフトを上記クラブ把持部に固定し、上記傾動手段で他端側を支持された上記棒状部材を他端側を支点として振り子状に傾動させて、上記打撃部を上記ゴルフクラブのヘッドフェース面に衝突させ、
上記衝突時に上記加速度センサで取得された加速度を時間積分して得られる値の時系列データをスムージング処理し、該スムージング後の時系列データの終端値の２％〜８％の範囲内の値の時刻から終端値の９２％〜９８％の範囲内の値に到達する時刻までの時間が長いほどゴルフクラブのヘッドの反発性能が高いとものとしてゴルフクラブのヘッドの反発性能を計測しているものである請求項１乃至請求項３のいずれか１項に記載のゴルフクラブ評価システム。
【請求項５】
上記特定機種のゴルフクラブ反発性能試験機は、ゴルフクラブのグリップを保持してゴルフクラブを傾動自在に垂下させるクラブ把持部と、該ゴルフクラブのヘッドのフェース面を衝突させる所定位置に固定した金属部品からなる被打撃部と、該被打撃部に取り付けられた加速度センサとを備え、
上記ゴルフクラブのグリップを上記クラブ把持部に固定し、該ゴルフクラブ全体を上記クラブ把持部を支点として振り子状に傾動させて、そのヘッドのフェース面を上記被打撃部に衝突させ、
上記衝突時に上記加速度センサで取得された加速度を時間積分して得られる値の時系列データをスムージング処理し、該スムージング後の時系列データの終端値の２％〜８％の範囲内の値の時刻から終端値の９２％〜９８％の範囲内の値に到達する時刻までの時間が長いほど、ゴルフクラブのヘッドの反発性能が高いとものとしてゴルフクラブのヘッドの反発性能を計測しているものである請求項１乃至請求項３のいずれか１項に記載のゴルフクラブ評価システム。
【請求項６】
上記データベースには、上記ゴルフクラブのヘッドの反発性能基準数値データの１つとして、上記衝突時に上記加速度センサで取得された加速度を時間積分して時間積分して得られる値の時系列データをスムージング処理し、該スムージング後の時系列データの終端値の２％〜８％の範囲内の値の時刻から終端値の９２％〜９８％の範囲内の値に到達する時刻までの特定時間を設定している請求項４または請求項５に記載のゴルフクラブ評価システム。
【請求項７】
上記加速度センサで取得された加速度を時間積分して得られる値をスムージング処理した時系列データの終端値の５％の値の時刻から終端値の９５％の値に到達する時刻までの時間を算出している請求項４乃至請求項６のいずれか１項に記載のゴルフクラブ評価システム。
【発明の詳細な説明】
【技術分野】
【０００１】
本発明は、ゴルフクラブ評価システムに関し、詳しくは、ゴルフクラブの反発性能の試験機による計測を精度の高いものとすると共に、計測結果に基づく反発性能の評価をする際に、該評価基準を統一して、正確な客観的評価が得られるようにするものである。
【背景技術】
【０００２】
ゴルフクラブの性能を評価する上で、飛距離性能に大きく影響するゴルフクラブのヘッドの反発性能は、近年最も重要な要素の一つとして注目されている。
従来は、このゴルフクラブのヘッドの反発性能は図４に示すボール衝突試験機を用いて測定されている。
上記ボール衝突試験機は、ボール発射装置１と、ボール速度測定機２と、測定対象であるゴルフクラブのヘッド４を設置する設置台３とを備えている。設置台３にはヘッド単体を設置し、ヘッド４への拘束力の少ない状態とし、ヘッド４の打撃面４ａに対して垂直方向より２°傾斜した入射角度から所定の速度でボールＢを衝突させ、ボールＢの反射速度を測定し、入射速度、反射速度、ボールＢ質量、ヘッド４質量から反発係数を計算し、ヘッド４の反発性能を評価している。
【０００３】
このボール衝突試験機を用いた計測を行う前には、試験機や衝突させるボールＢのバラツキによる誤差を補正する作業が必要となる。
詳しくは、予め反発係数が分かっている所定の寸法・重量の基準金属板を設置台３に設置し、該基準金属板にボールＢを衝突させて求められた反発係数が、その金属板の既知の反発係数と一致するように補正値を算出しておき、実際のヘッド４を計測した際には、測定値に上記補正値を用いて正しい反発係数に補正する処理が必要となる。
【０００４】
さらに、この試験方法では、上記のように補正処理を行ったとしても、以下の(1)〜(11)の各要因により測定誤差を生じざるを得ず、同じヘッド４を測定してもバラツキが発生し、ヘッド４の反発性能を正しく評価できない問題があった。
(1)：ボールＢ性能のバラツキ（重量、弾性率、硬度等）
(2)：試験機のバラツキ（ボール発射装置１等）
(3)：(1)(2)に伴うボールＢ速度のバラツキ
(4)：(1)(2)に伴うボールＢ入射角のバラツキ
(5)：ヘッド４の底面が自由曲面であることによるヘッド４の設置状態のバラツキ
(6)：(4)(5)に伴う衝突角度のバラツキ
(7)：(5)若しくはボールＢの飛球状態による衝突位置のバラツキ
(8)：(1)〜(7)に伴うボールＢの反射角度のバラツキ
(9)：(8)に伴う反射速度の測定誤差
(10)：基準金属板の製造バラツキ
(11)：(1)〜(4)、(6)〜(10)に伴う基準金属板の反発係数の測定バラツキ
また、上記ボール衝突試験機はバラツキが多いにも関わらず、ボールＢを精度良く発射するボール発射装置１やボール速度測定機２等を必要とするため、装置自体が高価となる問題もあった。
【０００５】
また、従来、ゴルフクラブを試験機により反発性能を計測し、この計測結果を通信ネットワークを介して共有化して客観的な評価が得られるようにしたシステムは従来構築されていない。
ゴルフクラブに関して通信ネットワークを利用したものとしては、顧客にとって最適なゴルフクラブを選択することに関して、本出願人は、特開２００２−７８７号公報でゴルフ製品選択装置を提供している。該装置では、図５に示すように、ゴルフ打撃計測器６で計測された顧客の打球時のゴルフスイングおよび打球結果を通信ネットワークＮを介してサーバ７で受信し、この受信した計測結果に基づき、サーバ７のデータベースに保存されているゴルフ製品情報の中から顧客に適する推奨製品を選択し、顧客の端末５に提示するものである。
しかしながら、この従来技術は、顧客がゴルフクラブを使用して打撃した時の打球に関する計測を行って、ゴルフクラブのヘッド自体が有する反発性能を測定し、その測定結果を通信ネットワークを介して送信しているものではない。
【０００６】
前述したように、ゴルフクラブのヘッドの反発性能を測定するための上記ボール衝突試験機は通信ネットワークで繋がれていない単体機であるため、新規開発を行ったゴルフクラブの評価はそれぞれ単体機毎に評価する必要がある。よって、評価基準を共通化するには、同一のボール衝突試験機にゴルフクラブを持ち込んで試験しなければならない。その結果、例えば、複数のゴルフクラブ同士の性能比較評価を行う場合、複数のゴルフクラブ全てを１つのボール衝突試験機に準備して測定する必要があり手間と時間がかかるという問題がある。よしんば別のボール衝突試験機で測定した結果だけを入手できたとしても、その結果を元にあらためて設計し直したゴルフクラブを、再び該ボール衝突試験機を有する場所へ送り評価し直して確認するという手間が生じる。
【０００７】
また、各ボール衝突試験機ごとに同一のゴルフクラブ評価基準情報を有するデータベースを設け、各試験機毎に測定されたゴルフクラブの計測結果をデータベースの基準情報と比較することで、統一基準に基づくゴルフクラブの評価を行うことは一応可能である。
しかしながら、データベースが更新される際には、個々のデータベースをそれぞれ個別に更新しなければならない手間が生じると共に、各データベース間で更新度合いに差が生じてしまった場合は、統一されていない評価基準で性能評価されてしまうことになる。しかも、上述した図４に示すボール衝突試験機は測定結果にバラツキが大きく、精度が悪い問題がある。
【特許文献１】特開２００２−７８７号公報
【発明の開示】
【発明が解決しようとする課題】
【０００８】
本発明は、上記問題に鑑みてなされたもので、簡単に統一したゴルフクラブの反発性能評価を得られるようにすると共に、測定誤差の少ない試験方法を提供することを課題としている。
【課題を解決するための手段】
【０００９】
上記課題を解決するため、本発明は、通信ネットワークを介して端末機器と接続されるサーバを備え、該サーバは、
特定機種のゴルフクラブ反発性能試験機による任意のゴルフクラブの計測結果を上記通信ネットワークを介して受信する受信手段と、
上記特定機種のゴルフクラブ反発性能試験機による計測結果に基づくゴルフクラブ評価基準情報を有するデータベースと、
上記受信手段に受信される上記任意のゴルフクラブの計測結果と上記ゴルフクラブ評価基準情報とを比較判断する演算処理手段と、
上記演算処理手段により判断された上記任意のゴルフクラブの評価結果を上記通信ネットワークを介して端末機器に送信する送信手段を有することを特徴とするゴルフクラブ評価システムを提供している。
【００１０】
上記のように、ゴルフクラブの反発性能を、ヘッドにボールを衝突させるボール衝突試験機からなる単体機で測定しているのではなく、本発明では、統一した特定機種のゴルフクラブ反発性能試験機により計測している。よって、異なる場所に設置された試験機であっても、特定機種の試験機であるため、この試験機で測定された計測結果を、同一の評価基準で評価することができる。
よって、この特定機種のゴルフクラブ反発性能試験機の測定結果をサーバで受信し、該サーバのデータベースのゴルフクラブ評価基準情報と比較判断して、通信ネットワークを介して各端末機器に評価結果を送信した場合、サーバのデータベースには多数のゴルフクラブについて統一した基準に基づく反発性能評価が蓄積出来ると共に、端末機器側では統一評価基準に基づく客観的な評価が得られることとなる。
【００１１】
上記サーバは管理者（例えば、国際的なゴルフクラブの基準ルール管理者）のもとに配置されると共に、該サーバと通信ネットワークを介して接続される上記端末機器は、上記特定機種のゴルフクラブ反発性能試験機を備えた測定者、ゴルフクラブ製造会社、ゴルフ場、ゴルフトーナメント場、店舗等に配置されている。
例えば、端末機器をゴルフ場、ゴルフトーナメント場に設置した場合は、競技中にルール適合か否かを判断できるからであり、また、店舗に設置した場合には、顧客が購入時にルール適合か否か、他種のクラブと比較してどの程度のポテンシャルかを調べることができるからである。
【００１２】
上記ゴルフクラブ反発性能試験機とサーバとが、例えば、異なる国に設置されていても、通信ネットワークを介してサーバへ送信し、サーバで同一の評価条件で迅速に解析して、評価結果を上記端末機器に送信し、端末機器側では迅速に評価結果を得ることができる。また、上記サーバにアクセスできるものは誰でも、どのゴルフクラブが評価基準を満たしているか否か等の評価結果を知ることも可能となる。  
また、ゴルフクラブ評価基準情報を有するデータベースは、サーバで一元管理されており、ゴルフクラブ評価基準情報が変更される際に、一つのデータベースを更新するだけでよいので、各ゴルフクラブ反発性能試験機が参照するデータベースに相違が発生しないと共に、データベースの更新の手間も削減される。
【００１３】
上記データベースに保存するゴルフクラブ評価基準情報は、ゴルフクラブ反発性能試験機で測定されるゴルフクラブのヘッドの反発性能基準数値データを含み、上記受信手段により受信されるゴルフクラブのヘッドの反発性能が、上記基準数値データを満たしているか比較分析できる構成としている。
【００１４】
上記構成とすると、例えば、開発したゴルフクラブの反発性能が基準数値データを満たしているかを評価する場合、開発現場あるいはその近辺にある上記特定機種のゴルフクラブ反発性能試験機で試験し、その測定結果を通信ネットッワークを介してサーバに送信すれば、その評価結果を端末機器で直ぐに得ることができる。この評価結果を設計開発にフィードバックさせることで、開発スピードを上げることができる。
【００１５】
上記データベースには、受信手段により受信された各ゴルフクラブの反発性能の計測結果および当該ゴルフクラブのヘッド重量を含むゴルフクラブの製品情報が保存され、複数箇所に配置される上記特定機種のゴルフクラブ反発性能試験機により計測された複数のゴルフクラブの反発性能を比較分析できる構成としている。
【００１６】
上記構成とすると、ゴルフクラブ反発性能試験機で測定されたゴルフクラブを別のゴルフクラブの反発性能や重量等の製品情報と簡単に比較解析することもできる。よって、別のゴルフクラブを取り寄せて比較検討する必要がなくなり、開発効率が向上する。
【００１７】
上記特定機種のゴルフクラブ反発性能試験機は、ゴルフクラブを位置決め固定するクラブ把持部と、金属部品からなり一端に打撃部を有する棒状部材と、該棒状部材の他端を保持して傾動自在に垂下させる傾動手段と、該打撃部に取り付けられた加速度センサとを備え、
上記ゴルフクラブのヘッドフェース面を上記打撃部に対向させた状態で上記ゴルフクラブのシャフトを上記クラブ把持部に固定し、上記傾動手段で他端側を支持された上記棒状部材を他端側を支点として振り子状に傾動させて、上記打撃部を上記ゴルフクラブのヘッドフェース面に衝突させ、
上記衝突時に上記加速度センサで取得された加速度を得られる値の時系列データをスムージング処理し、該スムージング後の時系列データの終端値の２％〜８％の範囲内の値の時刻から終端値の９２％〜９８％の範囲内の値までの時間が長いほどゴルフクラブのヘッドの反発性能が高いとものとしてゴルフクラブのヘッドの反発性能を計測しているものである。
【００１８】
このように、本発明のゴルフクラブ反発性能試験機では被打撃部を固定したヘッドのフェース面に衝突させ、直接的にヘッドの反発性能を計測している。
これに対して、従来のボール衝突試験機では、ボールをヘッドに衝突させているため、ボール精度やボール衝突条件のバラツキにより、ヘッドの反発性能の測定にバラツキが発生するが、本発明のゴルフクラブ反発性能試験機ではボールを衝突させる方法によらないため、上記バラツキは発生せず、測定精度を高めることができる。さらに、ボール衝突試験機による測定では必要であった計測準備段階での補正用の基準金属板による測定が不要にすることができる。また、ボール衝突試験機ではボール発射装置やボール速度測定機を必要としているが、本発明のゴルフクラブ反発性能試験機では不要となるため、安価かつシンプルな構造で機差の少ない試験機となる。
さらに、上記ゴルフクラブ反発性能試験機では、自由曲面であるヘッドを設置台に設置するという手法を採らないので、設置状態によるバラツキも無く、測定精度を更に高めることができる。
【００１９】
あるいは、上記特定機種のゴルフクラブ反発性能試験機は、ゴルフクラブのグリップを保持してゴルフクラブを傾動自在に垂下させるクラブ把持部と、該ゴルフクラブのヘッドのフェース面を衝突させる所定位置に固定した金属部品からなる被打撃部と、該被打撃部に取り付けられた加速度センサとを備え、
上記ゴルフクラブのグリップを上記クラブ把持部に固定し、該ゴルフクラブ全体を上記クラブ把持部を支点として振り子状に傾動させて、そのヘッドのフェース面を上記被打撃部に衝突させ、
上記衝突時に上記加速度センサで取得された加速度を時間積分して得られる値の時系列データをスムージング処理し、該スムージング後の時系列データの終端値の２％〜８％の範囲内の値の時刻から終端値の９２％〜９８％の範囲内の値に到達する時刻までの時間が長いほど、ゴルフクラブのヘッドの反発性能が高いとものとしてゴルフクラブのヘッドの反発性能を計測しているものである。
【００２０】
つまり、この場合は上述したケースとは逆に、加速度センサーの取り付けられた打撃部を有する棒状部材の方を位置決め固定している一方、ゴルフクラブを方を傾動させているものである。この場合も同様に、ボールを衝突させる方法によらないと共にゴルフクラブもシャフト部分を把持固定するので、従来のようなバラツキは発生せず測定精度を高めることができる。さらに、計測準備段階での補正用の基準金属板による測定も不要にすることができると共に、ボール衝突試験機で必要であったボール発射装置やボール速度測定機も不要とされ、安価かつシンプルな構造で機差の少ない試験機を提供することができる。
【００２１】
上記データベースには、上記ゴルフクラブのヘッドの反発性能基準数値データの１つとして、上記衝突時に上記加速度センサで取得された加速度を時間積分して得られる値の時系列データをスムージング処理し、該スムージング後の時系列データの終端値の２％〜８％の範囲内の値の時刻から終端値の９２％〜９８％の範囲内の値に到達する時刻までの特定時間を設定している。
即ち、上記ゴルフクラブ反発性能試験機で測定されたゴルフクラブの反発性能を表す、上記衝突時に上記加速度センサで取得された加速度を時間積分して算出される値の時系列データをスムージング処理し、該スムージング後の時系列データの終端値の２％〜８％の範囲内の値の時刻から終端値の９２％〜９８％の範囲内の値に到達する時刻までの時間を、上記データベース中の特定時間と比較判断することで、例えば、測定したゴルフクラブがルール範囲内であるか等を評価することが可能となる。
【００２２】
なお、上記特定時間を算出するための開始時刻は、終端値の３％〜７％であることが好ましく、より好ましくは４％〜６％の範囲内の値の時刻がよい。該％値が小さすぎると、測定機器そのものの誤差が大きくなる一方、大きすぎると所謂接触時間を考察しているとはいい難いからである。
また、上記特定時間を算出するための終了時刻は、終端値の９３％〜９７％であることが好ましく、より好ましくは９４％〜９６％の範囲内の値の時刻がよい。該％値が大きすぎると、測定機器そのものの誤差が大きくなる一方、小さすぎると接触時間を考察しているとはいい難いからである。
具体的には、上記加速度センサで取得された加速度を時間積分して得られる値をスムージング処理した時系列データの終端値の５％の値の時刻から終端値の９５％の値に到達する時刻までの時間を算出しているのが最も好ましい。
【発明の効果】
【００２３】
以上の説明より明らかなように、本発明によれば、特定された同一機種のゴルフクラブ反発性能試験機での測定結果をサーバに送信し、該サーバのデータベースのゴルフクラブ評価基準情報と比較判断し、端末機器に評価結果を送信しているので、異なる地に存在するゴルフクラブ反発性能試験機で計測された結果が、常に同一のゴルフクラブ評価基準情報を基に比較して評価結果を得ることができ、評価基準の統一化が図られ、何処でも誰でも同一条件で迅速に解析することが可能となる。
【００２４】
また、使用するゴルフクラブ反発性能試験機は、ゴルフクラブのヘッドと被打撃部（または打撃部）とを振り子上に衝突させて測定しているため、従来使用されていたボール衝突試験機による測定に比べて、測定条件や試験機による測定結果のバラツキが少ない。よって、上記したように、同一機種のゴルフクラブ反発性能試験機を用いた測定結果は、統一の評価基準で評価することが可能となる。    
【発明を実施するための最良の形態】
【００２５】
本発明の実施形態を図面を参照して説明する。
図１は第１実施形態のゴルフクラブ評価システムの概要を示し、通信ネットワークＮを介してサーバ１１、ゴルフクラブ反発性能試験機１３−１〜Ｘ、端末機器１２−１〜Ｘを接続している。
サーバ１１は、ゴルフクラブ評価基準情報を有するデータベース１５と、演算処理手段１６と、通信手段（受信手段および送信手段を含む）１７を備えている。
【００２６】
サーバ１１はゴルフクラブ評価基準情報を一元管理する管理者のもとに置かれている。複数のゴルフクラブ反発性能試験機１３−１〜Ｘおよび端末機器１２−１〜Ｘはゴルフクラブ製造会社に配置されている。なお、端末機器１２−１〜Ｘはゴルフクラブ反発性能試験機１３−１〜Ｘとは別の場所に配置してもよいことは言うまでもないが、端末機器を試験機の近傍に配置すると、測定結果を迅速にサーバ１１に送信でき、サーバ１１からの評価結果を迅速に端末機器で得ることができる。
【００２７】
複数のゴルフクラブ反発性能試験機１３−１〜Ｘは同一機種であり、代表して１つのゴルフクラブ反発性能試験機１３−１について説明する。
上記ゴルフクラブ反発性能試験機は、脚部１８ａと回転自在のクラブ把持部１８ｂとを有するゴルフクラブ保持器１８と、金属製の被打撃部材１９と、被打撃部材１９の背面に取り付けられた加速度センサ２０と、加速度センサ２０にケーブルを通じて接続された増幅器２１とを備えている。被打撃部材１９は、ゴルフクラブＧのヘッドＧｂと衝突する被打撃面１９ａを曲面とすると共に基盤への固定部１９ｂを有し、該固定部１９ｂにより基盤に固定される。
【００２８】
ゴルフクラブＧは、そのグリップＧａをゴルフクラブ保持器１８のクラブ把持部１８ｂに保持固定させ、クラブ把持部１８ｂを支点としてゴルフクラブＧを振り子状に傾動自在に垂下させている。
また、増幅器２１より出力されたケーブルは通信手段を有する端末機器１２−１の本体部１２ａに接続されて、通信ネットワークＮへと接続されていると共に、端末機器１２は評価結果を表示する表示部１２ｂを備えている。
【００２９】
ゴルフクラブ反発性能試験機１３−１での試験方法は、ＵＳＧＡ（全米ゴルフ協会）が定めるペンデュラムテストであり、クラブ把持部１８ｂを支点としてゴルフクラブＧを所定の角度まで傾斜させた状態からゴルフクラブＧを解き放ち、振り子状態にしてクラブヘッドＧｂのフェース面を固定されている被打撃部材１９の被打撃面１９ａに衝突させる。この時に、加速度センサ２０から得られる加速度の時系列データを時間積分して得られた速度の時間変化グラフを図３に示す。なお、図３に示すグラフのギザギザ信号波形は加速度センサ２０から得られた生データであり、該生データをスムージング処理したデータを時間積分している。該スムージング処理としては、ノイズ除去やフィルタリングや移動平均処理などを行うと好適である。
そして、図３に示すグラフの速度データの終端速度Ｖｍの５％の速度に到達するまでの時間をｔ１とすると共に、終端速度の９５％の速度に到達するまでの時間をｔ２とし、特定時間ｔ２−ｔ１の値を求め、その特定時間ｔ２−ｔ１の長短で反発性能を評価する。具体的には、該時間ｔ２−ｔ１が長いほど反発性能が高いという評価になる。
なお、上記ペンデュラムテストの詳細は２００３年２月２４日にＵＳＧＡから発行された「Notice To Manufacturers」に添付された「Technical Description of the Pendulum Test」に記載されている。
【００３０】
サーバ１１のデータベース１５には、各ゴルフクラブ反発性能試験機１３−１〜Ｘで測定されたゴルフクラブＧのヘッドＧｂの反発性能が所定の要件を満たしているかを評価する反発性能基準数値データがゴルフクラブ評価基準情報として保存されている。例えば、ゴルフクラブの反発性能がルール範囲内のものであるか否かを示すために、上記特定時間ｔ２−ｔ１のルール範囲値が保存されている。
加えて、データベース１５には、各ゴルフクラブ反発性能試験機１３−１〜Ｘで測定されたゴルフクラブＧの反発性能の測定結果およびゴルフクラブＧ重量等の製品情報も記憶される。
【００３１】
次に、ゴルフクラブ評価システムを用いた評価手順について説明する。
ゴルフクラブ反発性能試験機１２−１で反発性能の計測を行う。即ち、クラブ把持部１８ｂを支点としてゴルフクラブＧを振り子状態に傾動させて、ヘッドＧｂを固定した被打撃部材１９に衝突させて得られた加速度の時系列データを時間積分して時系列の速度データを取得し、該速度データの終端速度Ｖｍの５％の速度に到達した時刻から終端速度の９５％の速度に到達する時刻まで時間である特定時間ｔ２−ｔ１を求める。そして、その測定結果を通信ネットワークＮを介してサーバ１１へ送信し、サーバ１１側では、受信した測定結果を演算処理手段１６によりデータベース１５と比較判断し、試験されたゴルフクラブＧの反発性能が所定のルール範囲内であるか否か示す評価結果を端末機器１２−１側へ送信し、端末機器１２−１の表示部１２ｂで表示している。
【００３２】
また、端末機器１２−１の要求によっては、ゴルフクラブ反発性能試験機１３−１で計測されたゴルフクラブＧを他のゴルフクラブ反発性能試験機１３−２〜Ｘで計測された測定結果や、既に記憶させているゴルフクラブ製品情報と比較判断した評価結果も併せて端末機器１２−１に送信し、表示部１２ｂで表示している。
【００３３】
上記構成とすると、上記同一機種のゴルフクラブ反発性能試験機により測定し、通信ネットワークＮを介してサーバ１１に端末機器より測定結果を送信すると、同一のデータベース１５を用いて、統一された基準でゴルフクラブの反発性能が評価されることとなる。よって、全世界のどこの場所でも、また、異なるゴルフ製造会社であっても、さらに、種類の相違するゴルフクラブであっても、通信ネットワークＮを介して、同一の評価基準で迅速に評価結果を得ることができる。
一方、ゴルフクラブ評価基準情報を有するデータベース１５は、サーバ１１で一元管理されており、ゴルフクラブ評価基準情報が変更される際に、一つのデータベース１５を更新するだけでよいので、各ゴルフクラブ反発性能試験機１３−１〜Ｘが参照するデータベース１５に相違が発生しないと共に、データベース１５の更新の手間も削減できる。
【００３４】
さらに、開発したゴルフクラブＧの反発性能が所定の要件を満たしているかを評価する場合には、開発現場にあるゴルフクラブ反発性能試験機１３−１で反発性能の測定を行い、その結果をサーバ１１に送信すれば、その評価結果をサーバ１１から端末機器１２−１で得ることができ、即座に、設計開発にフィードバックさせて開発スピードの向上を図ることができる。
また、当該ゴルフクラブ反発性能試験機１３−１で計測されたゴルフクラブＧをデータベース１５を用いて、別のゴルフクラブ試験機１３−２〜Ｘで計測された別のゴルフクラブの反発性能や重量等の製品情報と比較解析することもできる。
【００３５】
また、本発明で用いるゴルフクラブ反発性能試験機では、自由曲面であるヘッドを設置台に設置するという手法を採らないことによりヘッドの設置状態による測定時のバラツキも無くし、シャフトを振り子式としてヘッドを固定された被打撃部に衝突させて反発性能を測定している。よって、従来のヘッドを所定位置に設置して、ボールをヘッドに衝突させるボール打撃試験機を用いてヘッドの反発性能を測定する場合と比較して、測定誤差を少なくすることができる。
さらに、従来のボール衝突試験機で必要であったボール発射装置やボール速度測定機を必要とせず、設備が大型化せず安価なものとなる。かつ、計測準備段階における補正用の基準金属板による測定を不要にすることもできる。
【００３６】
図４（Ａ）（Ｂ）は第２実施形態を示す。
第１実施形態との相違点は、ゴルフクラブ反発性能試験機１３−１’〜Ｘ’において、ゴルフクラブＧ側を位置決め固定し、金属製の打撃部３３ａの方を傾動させている点である。
【００３７】
複数のゴルフクラブ反発性能試験機１３−１’〜Ｘ’は同一機種であり、代表して１つのゴルフクラブ反発性能試験機１３−１’について説明する。  ゴルフクラブ反発性能試験機１３−１’は、地面に設置される基盤部３０と、基盤部３０の一側から立設する２本の支持部３１と、支持部３１の上方側を架橋する傾動手段３２と、傾動手段３２に軸部３３ｂの他端側を固定された金属製の棒状部材３３と、棒状部材３３の先端に設けられ曲面の打撃面３３ａ−１を有する金属製の打撃部３３ａと、打撃部３３ａの背面に取り付けられた加速度センサ２０と、加速度センサ２０にケーブルを通じて接続された増幅器２１と、基盤部３０の他側から立設したクラブ固定部３５とを備えている。
【００３８】
クラブ固定部３５は、ゴルフクラブＧのシャフトＧｃを載置するベット部３５ａと、シャフトＧｃをベット部３５ａに押え付ける押圧部３５ｂと、押圧部３５ｂを昇降させる締付部３５ｃとを備えている。  また、増幅器２１より出力されたケーブルは通信手段を有する端末機器１２−１の本体部１２ａに接続されて、通信ネットワークＮへと接続されていると共に、端末機器１２は評価結果を表示する表示部１２ｂを備えている。
【００３９】
ゴルフクラブ反発性能試験機１３−１’での試験方法は、傾動手段３２を支点として支点として棒状部材３３を所定の角度まで傾斜させた状態から棒状部材３３を解き放ち、振り子状態にして棒状部材３３の打撃部３３ａの打撃面３３ａ−１を固定されているゴルフクラブＧのヘッドＧｂのフェース面に衝突させる。
そして、第１実施形態と同様にして、上記衝突時に加速度センサ２０から得られる加速度の時系列データを時間積分して得られた速度データの終端速度Ｖｍの５％の速度に到達するまでの時間をｔ１とすると共に、終端速度の９５％の速度に到達するまでの時間をｔ２とし、特定時間ｔ２−ｔ１の値を求め、その特定時間ｔ２−ｔ１の長短で反発性能を評価し、該時間ｔ２−ｔ１が長いほど反発性能が高いとみなす。
他の構成は第１実施形態と同様であるため説明を省略する。
【図面の簡単な説明】
【００４０】
【図１】本発明の第１実施形態のゴルフクラブ評価システムの概念図である。
【図２】第１実施形態のゴルフクラブ反発性能試験機の概略図である。
【図３】計測データを示すグラフである。
【図４】第２実施形態のゴルフクラブ反発性能試験機の概略図である。
【図５】従来のボール衝突試験機の概略図である。
【図６】別の従来のゴルフ製品選択装置の概念図である。
【符号の説明】
【００４１】
１１      サーバ
１２−１〜Ｘ  端末機器
１３−１〜Ｘ  ゴルフクラブ反発性能試験機
１５      データベース
１６      演算処理手段
１７      通信手段
１８      ゴルフクラブ保持器
１８ｂ    クラブ把持部
１９      被打撃部材
２０      加速度センサ
３３      棒状部材
３３ａ    打撃部
３５      クラブ固定部
Ｇ        ゴルフクラブ
【図１】
2005040442.tif 000003
【図２】
2005040442.tif 000004
【図３】
2005040442.tif 000005
【図４】
2005040442.tif 000006
【図５】
2005040442.tif 000007
【図６】
2005040442.tif 000008